(57)【要約】【課題】操作ロッドのグリップに親指で前後左右４方向に操作される操作部材を備えることにより、操作性の高いテレビカメラ操作装置を提供することを目的とする。【解決手段】操作ロッド２４のグリップ３２にサムリング３４を回動自在かつ前後移動自在に設ける。テレビカメラは、サムリング３４を周方向に回動操作することにより、レンズ装置のズームが操作され、前後方向にスライド操作することにより、ビューファインダに映し出される画像の切り替え操作が行なわれる。【選択図】　　　　図２
2004104294.tif 000002
【特許請求の範囲】
【請求項１】
雲台をパン・チルト操作する操作ロッドに設けられ、前記雲台にセットされたテレビカメラを操作するテレビカメラ操作装置において、
前記操作ロッドに設けられたグリップに配設され、該グリップを握った手の親指でグリップの左右方向及び前後方向に操作される操作部材を備え、該操作部材で前記テレビカメラの機能を操作することを特徴とするテレビカメラ操作装置。
【請求項２】
前記操作部材は、前記グリップの周方向に回動自在に設けられるとともに、前記グリップの軸方向に前後移動自在に設けられ、前記グリップの前後左右４方向に操作されることを特徴とする請求項１に記載のテレビカメラ操作装置。
【請求項３】
前記操作部材の前後少なくとも一方向の操作により、前記テレビカメラのモニタ画像の切替機能が操作されることを特徴とする請求項１又は２に記載のテレビカメラ操作装置。
【発明の詳細な説明】
【０００１】
【発明の属する技術分野】
本発明はテレビカメラ操作装置に係り、特に雲台をパン・チルト操作する操作ロッドに設けられ、雲台にセットされたテレビカメラを操作するテレビカメラ操作装置に関する。
【０００２】
【従来の技術】
一般にスタジオ等に設置するような大型のテレビカメラは、雲台上に設置され、この雲台に連結された操作ロッドを用いてパン・チルト操作が行なわれる。この操作ロッドのグリップには、サムリングが設けられており、このサムリングをグリップした手の親指で回動操作することにより、レンズの制御、たとえばズーミング等を操作できるようにされている。
【０００３】
また、この操作ロッドのグリップには、サムリングとは別にリターンスイッチが設けられており、このリターンスイッチをグリップした手の人差指等でプッシュ操作することにより、モニタの画像をオンエア中の画面に切り換えたり、他のカメラマンが撮影している画面に切り替えたりできるようにされている（たとえば、特許文献１参照）。
【０００４】
そして、実開平６−８１１６９号公報（特許文献２）では、このサムリングとリターンスイッチの操作性を向上させるべく、サムリング上にリターンスイッチを設けている。
【０００５】
【特許文献１】
特開平１０−　９０５８５号公報
【０００６】
【特許文献２】
実開平６−８１１６９号公報
【０００７】
【発明が解決しようとする課題】
しかしながら、従来のようにサムリングとリターンスイッチとが別々に設けられていたり、サムリング上にリターンスイッチが設けられていたりすると、常に各スイッチの上に指を置いておかなければならないため、グリップの仕方の自由度が奪われ、却って操作性を損なうという場合があるという欠点があった。
【０００８】
本発明はこのような事情に鑑みてなされたもので、操作性の高いテレビカメラ操作装置を提供することを目的とする。
【０００９】
【課題を解決するための手段】
請求項１に係る発明は、前記目的を達成するために、雲台をパン・チルト操作する操作ロッドに設けられ、前記雲台にセットされたテレビカメラを操作するテレビカメラ操作装置において、前記操作ロッドに設けられたグリップに配設され、該グリップを握った手の親指でグリップの左右方向及び前後方向に操作される操作部材を備え、該操作部材で前記テレビカメラの機能を操作することを特徴とするテレビカメラ操作装置を提供する。
【００１０】
請求項２に係る発明は、前記目的を達成するために、前記操作部材は、前記グリップの周方向に回動自在に設けられるとともに、前記グリップの軸方向に前後移動自在に設けられ、前記グリップの前後左右４方向に操作されることを特徴とする請求項１に記載のテレビカメラ操作装置を提供する。
【００１１】
また、請求項３に係る発明は、前記目的を達成するために、前記操作部材の前後少なくとも一方向の操作により、前記テレビカメラのモニタ画像の切替機能が操作されることを特徴とする請求項１又は２に記載のテレビカメラ操作装置を提供する。
【００１２】
本発明によれば、操作ロッドのグリップに親指で前後左右４方向に操作される操作部材が備えられており、この操作部材でテレビカメラを操作する。これにより、親指だけで４つの機能が操作できるようになり、操作性が向上する。
【００１３】
なお、請求項１、２又は３に係る発明において、前記操作部材で操作する前記テレビカメラの機能を前記操作部材の操作方向ごとに割り当てる割り当て手段を備えることにより、各方向に任意の機能を割り当てることができ、操作性がより向上する。
【００１４】
また、請求項１、２又は３に係る発明において、前記操作部材の特定の方向の機能をオン・オフするスイッチを備えることにより、操作性がより向上する。
【００１５】
さらに、請求項１、２又は３に係る発明において、前記操作部材の特定の２方向の機能を逆転させるスイッチを備えることにより、操作性がより向上する。
【００１６】
また、請求項１、２又は３に係る発明において、前記操作部材に親指が嵌る凹部を形成するとともに、該凹部内に親指の腹に当接する突起部を形成することにより、操作性がより向上する。
【００１７】
また、請求項１、２又は３に係る発明において、前記操作部材の前後方向に割り当てる機能は、リターン機能の他、クイックズーム機能（前をテレ、後をワイド）、マクロ機能（前をマクロオン、後ろをマクロオフ）、フォーカス機能（前方向をフォーカスインフ、後方向をフォーカスニア）、プリセットショット機能（前をプリセットショットオン、後をプリセットショットオフ）等の機能を割り当てることができる。
【００１８】
【発明の実施の形態】
以下、添付図面に従って本発明に係るテレビカメラ操作装置の好ましい実施の形態について詳説する。
【００１９】
図１は本発明に係るテレビカメラ操作装置が使用されるテレビカメラシステムの一実施形態を示す斜視図である。
【００２０】
同図に示すように、テレビカメラ１０は、レンズ装置１２とカメラ本体１４とで構成されており、ペデスタルドリー１６上に設けられた雲台１８にセットされる。
【００２１】
雲台１８には、２本の操作ロッド２２、２４が連結されており、各操作ロッド２２、２４の端部には、それぞれテレビカメラ１０にケーブルで接続されたフォーカスデマンド２６とズームデマンド（テレビカメラ操作装置）２８とが取り付けられている。
【００２２】
フォーカスデマンド２６には、回動自在なフォーカスノブ３０が設けられており、このフォーカスノブ３０が回動操作されると、その回動位置に応じたフォーカス位置へのフォーカスレンズの移動を指示する制御信号がフォーカスデマンド２６からレンズ装置１２に与えられる。これにより、レンズ装置１２のフォーカスレンズがフォーカスデマンド２６により指示されたフォーカス位置となるように至近側又は無限遠側に移動する。
【００２３】
一方、ズームデマンド２８には、図２に示すように、操作ロッド２４のグリップ３２に回動自在かつ前後移動自在なサムリング３４が設けられており、このサムリング３４がグリップ３２の左右方向に回動操作されると、その回動操作量に応じたズームレンズの移動を指示する制御信号がズームデマンド２８からテレビカメラ１０に与えられる。これにより、レンズ装置１２のズームレンズがズームデマンド２８により指示されたズーム速度でワイド側又はテレ側に移動する。また、このサムリング３４が前方にスライド操作されると、カメラ本体１４上に設置されたビューファインダ３６に映し出される画像をオンエア中の画面に切り換えるように指示する制御信号がズームデマンド２８からテレビカメラ１０に与えられ、後方にスライド操作されると、他のカメラマンが撮影している画面に切り替えるように指示する制御信号がズームデマンド２８からテレビカメラ１０に与えられる。これにより、ビューファインダ３６に映し出される画像がオンエア中の画面に切り換えられ、あるいは他のカメラマンが撮影している画面に切り替えられる。
【００２４】
カメラマンは、ビューファインダー３６に映る撮影像を見ながら右手でフォーカスデマンド２６のフォーカスノブ３０を操作することによりピント調整を行い、左手でズームデマンド２８のサムリング３４を操作することによりズーム操作及びリターン操作を行なう。
【００２５】
図３は、図２に示したズームデマンドの内部構造を示す側面断面図である。同図に示すように、グリップ３２は、箱状に形成されたズームデマンド本体４０から操作ロッド２４を延長する方向に延びている。このグリップ３２とズームデマンド本体４０とは、円筒状に形成された支軸４２で連結されており、この支軸４２の外周にサムリング３４が回動自在かつ前後移動自在に支持されている。サムリング３４は、筒状に形成されており、その外周部に親指が嵌合する凹部３４Ａが一箇所に形成されている。
【００２６】
支軸４２の内側には、支軸４２と同軸上に回転軸４４が配設されている。この回転軸４４は、ズームデマンド本体４０内に設けられた軸受４６と、グリップ３２内に設けられた軸受４８とによって回動自在に支持されており、サムリング３４の内周部に形成された連結アーム５０を介してサムリング３４と連結されている。
【００２７】
ここで、この連結アーム５０は、図４に示すように、サムリング３４の内周部から半径方向に突出して形成されており、支軸４２に形成された開口部４２Ａを介して支軸４２内に挿通されている。そして、その先端部に形成された穴５２に回転軸４４が挿通されて回転軸４４に連結されている。この穴５２には回転軸４４に設けられたキー５４が嵌合するキー溝５６が形成されており、これにより、サムリング３４が回動操作されると、そのサムリング３４の回動が回転軸４４に伝達されて、回転軸４４が回動する。また、サムリング３４が、前後方向にスライド操作されると、キー５４がキー溝５６内を摺動して、サムリング３４のみが前後方向に移動する。
【００２８】
また、この支軸４２の内側には、回動自在かつ前後移動自在に支持されたサムリング３４を中点位置に保つための中点復帰機構が設けられている。この中点復帰機構は、周方向に回動自在に支持されたサムリング３４を中点位置に保つための第１中点復帰機構５８Ａと、前後方向にスライド自在に支持されたサムリング３４を中点位置に保つための第２中点復帰機構５８Ｂとで構成されている。
【００２９】
まず、第１中点復帰機構５８Ａの構成について説明する。図５に示すように、ズームデマンド本体４０の端面には、バネ支軸６０が突出して形成されている。
このバネ支軸６０には捻りコイルバネ６２のループ部６２Ａが取り付けられており、このループ部６２Ａから延びる一対の脚部６２Ｂ、６２Ｂの間にストッパーピン６４と駆動ピン６６とが配設されている。ストッパーピン６４は、ズームデマンド本体４０の端面に固着されており、駆動ピン６６は、サムリング３４の連結アーム５０の端面に固着されている。
【００３０】
以上のように構成された第１中点復帰機構５８Ａによれば、サムリング３４を回動させると、連結アーム５０に設けられた駆動ピン６６が、ストッパーピン６４との間で捻りコイルバネ６２の一対の脚部６２Ｂ、６２Ｂの間隔を広げる（図５（ｂ）参照）。この結果、サムリング３４を回す力が解除されると、サムリング３４は、捻りコイルバネ６２の弾性復元力によって中点位置に復帰する（図５（ａ）参照）。
【００３１】
次に、第２中点復帰機構５８Ｂの構成について説明する。図３に示すように、回転軸４４には、連結アーム５０を挟んで前後に一対のストッパープレート６８、６８が固着されており、各ストッパープレート６８、６８と連結アーム５０との間にはスプリング７０、７０が配設されている。このスプリング７０、７０には回転軸４４が通されており、その一端はストッパープレート６８に連結され、他端は連結アーム５０に連結されている。
【００３２】
以上のように構成された第２中点復帰機構５８Ｂによれば、サムリング３４を前方又は後方にスライドさせると、一方のスプリング７０が圧縮されるとともに他方のスプリング７０が伸張される。この結果、サムリング３４を前方又は後方に押す力を解除すると、サムリング３４は、スプリング７０、７０の弾性復元力で中点位置に復帰する。
【００３３】
以上のようにサムリング３４は、第１中点復帰機構５８Ａと第２中点復帰機構５８Ｂとで構成される中点復帰機構により、回動又は前後操作させる力を解除すると、常に中点位置に復帰する。
【００３４】
ところで、上述したようにサムリング３４は、前方にスライドされると、ビューファインダ３６に映し出される画像をオンエア中の画面に切り換え、後方にスライドされると、ビューファインダ３６に映し出される画像を他のカメラマンが撮影している画面に切り替える。
【００３５】
図３に示すように、ズームデマンド本体４０の後端面には、前スイッチ７２が設けられており、この前スイッチ７２は、サムリング３４を前方にスライドさせると、そのサムリング３４の先端面に押されてオンとなる。一方、グリップ３２の先端面には、後スイッチ７４が設けられており、この後スイッチ７４は、サムリング３４を後方にスライドさせると、そのサムリング３４の後端面に押されてオンとなる。この前スイッチ７２と後スイッチ７４のオン信号は、コントローラ７６へ出力される。
【００３６】
コントローラ７６は、前スイッチ７２からのオン信号を入力すると、カメラ本体１４上に設置されたビューファインダ３６に映し出される画像をオンエア中の画面に切り換えるように指示する制御信号をテレビカメラ１０に出力し、後スイッチ７４からオン信号を入力すると、他のカメラマンが撮影している画面に切り替えるように指示する制御信号をテレビカメラ１０に出力する。
【００３７】
また、上述したように、サムリング３４は、周方向に回動操作されると、その回転方向及び回転量に応じてレンズ装置１２を所定のズーム方向（テレ方向又はワイド方向）に所定のズームスピードでズーミングさせる。
【００３８】
ここで、図３に示すように、サムリング３４に連結された回転軸４４には、グリップ３２内に設けられたポテンショメータ７８が連結されており、回転軸４４は、このポテンショメータ７８によって中点位置からの回転方向と回転角度が検出される。検出された回転軸４４の回転方向と回転角度の情報は、コントローラ７６へ出力される。
【００３９】
コントローラ７６は、ポテンショメータ７８から回転軸４４の回転方向と回転角度の情報を入力すると、その入力情報に応じたズームレンズの移動を指示する制御信号をレンズ装置１２に出力する。すなわち、回転軸４４の回転方向に応じてズーム方向（テレ側又はワイド側）を指示する制御信号を出力するとともに、回転軸４４の回転角度に応じてズーム速度を指示する制御信号を出力する。この結果、たとえばサムリング３４を図２においてＴ方向に回転させるとレンズ装置１２がテレ側にズームされ、Ｗ方向に回転させるとワイド側にズームされる。そして、このサムリング３４の回転角が大きくなるに従ってズーム速度が速くなるように制御される。
【００４０】
以上のように構成された本実施の形態のテレビカメラシステムの作用は次のとおりである。
【００４１】
カメラマンは、ズームデマンド２８が設けられた操作ロッド２２のグリップ３２を左手で握り、右手でフォーカスデマンド２６のフォーカスノブ３０を操作することにより、レンズ装置１２のピントを調節する。
【００４２】
パン・チルト操作は、グリップ３２を握った左手で行い、ズーム操作はグリップ３２に設けられたサムリング３４を左手の親指でグリップ３２の左右方向に回動操作することにより行なう。そして、ビューファインダ３６に映し出される画像の切り替え操作（リターン操作）をサムリング３４の前後方向のスライド操作で行なう。
【００４３】
このパン・チルト操作を行なう左手は、撮影中、基本的にグリップ３２から離されることはなく、常に左手の親指はサムリング３４にかけておくことができる。したがって、カメラマンは、パン・チルト操作中であってもズーム操作をすることができ、かつ、リターン操作も行なうことができる。この際、親指はサムリング３４にかけておけばよく、必ずしも凹部３４Ａに嵌めておく必要もないので、操作の自由度があり、咄嗟のズーム操作又はリターン操作にも迅速に対応することができる。
【００４４】
なお、本実施の形態では、サムリング３４の前後方向の機能にリターンスイッチの機能を割り当てているが、サムリング３４の前後方向に割り当てる機能は、これに限定されるものではない。
【００４５】
たとえば、サムリング３４の前後方向の機能にマクロボタンの機能を割り当ててもよい。すなわち、サムリング３４を前方にスライドさせて前スイッチ７２をオンにすると、レンズ装置１２のマクロ機能がオンになり、後方にスライドさせて後スイッチ７２をオンにすると、マクロ機能がオフになるように設定してもよい。
【００４６】
また、サムリング３４の前後方向の機能にクイックズームの機能を割り当ててもよい。すなわち、サムリング３４を前方にスライドさせると、レンズ装置１２のクイックズームのテレ機能がオンになり、後方にスライドさせると、クイックズームのワイド機能がオンになるように設定してもよい（その逆も可）。
【００４７】
なお、クイックズームとは、クイックズームのスイッチを押すと、ズームがテレ端又はワイド端に向かう方向に作動し、離すと元のズーム位置（スイッチを押す前のズーム位置）に戻る機能のことをいう。上記の例の場合、サムリング３４を前方にスライドさせると、ズームがテレ端に向かう方向に作動し、離すと元のズーム位置に戻る。そして、後方にスライドさせると、ズームがワイド端に向かう方向に作動し、離すと元のズーム位置に戻る。
【００４８】
また、サムリング３４の前後方向の機能にフォーカシングの機能を割り当ててもよい。すなわち、サムリング３４を前方にスライドさせると、レンズ装置１２のフォーカスがインフ（無限遠）方向に移動し、後方にスライドさせると、ニア（至近）方向に移動するように設定してもよい（その逆も可）。
【００４９】
また、サムリング３４の前後方向の機能にプリセットショットとメモリーの機能を割り当ててもよい。すなわち、サムリング３４の前方向にプリセットショットの機能を割り当て、後方向にメモリーの機能を割り当てる（その逆も可）。
【００５０】
なお、プリセットショットとは、レンズ装置１２の状態をあらかじめ登録された状態に瞬時に移行させる機能をいう。このプリセットショットのボタンが押されると、レンズ装置１２は、あらかじめ登録されたフォーカス位置、ズーム位置、絞り値になるように制御される。メモリーとは、このプリセットショットのボタンが押されることにより、設定されるレンズ装置１２の状態を登録する機能をいう。たとえば、メモリーのボタンが押されると、そのときのレンズ装置１２の状態（フォーカス位置、ズーム位置、絞り値）が登録され、プリセットショットのボタンを押すと、その登録された状態にレンズ装置１２が設定される。
【００５１】
また、本実施の形態では、サムリング３４の周方向の回動操作にズーム操作の機能を割り当てているが、他の機能を割り当てるようにしてもよい。
【００５２】
さらに、サムリング３４の各方向に割り当てる機能をカメラマンが任意に設定できるようにしてもよい。この場合、たとえばズームデマンド本体４０に液晶モニタを設けるとともに選択ボタンを設け、サムリング３４の各方向に割り当てることができる機能を液晶モニタに表示させる。そして、選択ボタンで各方向ごとに割り当てる機能を選択し、設定するように構成する。
【００５３】
図６はズームデマンドの他の実施の形態の構成を示す斜視図である。同図に示すように、このズームデマンド２８には、サムリング３４に形成された凹部３４Ａ内に半球状の突起３４Ｂが形成されている。この突起３４Ｂは、カメラマンが、サムリング３４の凹部３４Ａに親指を嵌め込むと、その親指の腹に当接して指掛かりとなるものである。これにより、サムリング３４の操作性が向上する。
【００５４】
また、同図に示すように、このズームデマンド２８には、ズームデマンド本体４０の側面にリバーススイッチ８０とオン／オフスイッチ８２とが設けられている。
【００５５】
リバーススイッチ８０は、サムリング３４の前後の機能を切り替えるスイッチであり、このリバーススイッチ８０が押されると、コントローラ７６は、これを検知して、サムリング３４を前側にスライドさせたときの機能と後側にスライドさせたときの機能を切り替える。すなわち、上記の実施の形態では、サムリング３４を前側にスライドさせると、ビューファインダ３６に映し出される画像がオンエア中の画面に切り替わり、後側にスライドさせると、他のカメラマンが撮影している画面に切り替わるように設定されているが、このリバーススイッチ８０を押すと、前後の機能が切り替わるように設定される。すなわち、サムリング３４を前側にスライドさせると、ビューファインダ３６に映し出される画像が他のカメラマンが撮影している画面に切り替わり、後側にスライドさせると、オンエア中の画面に切り替わるように設定される。そして、もう一度リバーススイッチ８０を押すと、元の設定に戻される。
【００５６】
このように、前後の機能を逆転させるスイッチを設けることにより、カメラマンが好みの設定にすることができる。
【００５７】
また、オン／オフスイッチ８２は、サムリング３４の前後の機能を停止させるスイッチであり、このオン／オフスイッチ８２が押されると、コントローラ７６は、これを検知し、サムリング３４を前後にスライドさせたときの機能を停止させる。すなわち、上記の実施の形態では、サムリング３４を前側にスライドさせると、ビューファインダ３６に映し出される画像がオンエア中の画面に切り替わり、後側にスライドさせると、他のカメラマンが撮影している画面に切り替わるように設定されていたが、このオン／オフスイッチ８２を押すと、コントローラ７６は、サムリング３４を前後にスライドさせても、ビューファインダ３６に映し出される画像が切り替わらないように設定する。
【００５８】
このように、前後の機能を停止させるスイッチを設けることにより、誤動作を防止することができる。
【００５９】
なお、本実施の形態では、サムリング３４の前後左右４方向に機能を割り当てられるように構成しているが、左右方向と前方向、又は、左右方向と後方向の３方向にのみ機能を割り当てられるようにしてもよい。
【００６０】
また、本実施の形態では、サムリング３４を回動自在かつ前後移動自在に構成することにより、４方向の機能を操作可能としているが、少なくとも３方向の機能を操作できる構成であればよい。
【００６１】
たとえば、図７（ａ）示すように、４方向に操作可能なジョイスティック９０や、同図（ｂ）に示すように、４方向に操作可能な十字キー９２を用いてもよい。
【００６２】
【発明の効果】
以上説明したように、本発明によれば、操作ロッドのグリップに親指で少なくとも左右方向及び前後少なくとも一方向に操作される操作部材が備えられており、この操作部材でテレビカメラを操作するので、親指だけで少なくとも３つの機能が操作できるようになり、操作性が向上する。
【図面の簡単な説明】
【図１】本発明に係るテレビカメラ操作装置が使用されるテレビカメラシステムの一実施形態を示す斜視図
【図２】ズームデマンドの構成を示す斜視図
【図３】ズームデマンドの内部構造を示す側面断面図
【図４】ズームデマンドの内部構造を示す正面断面図
【図５】ズームデマンドの内部構造を示す正面断面図
【図６】ズームデマンドの他の実施の形態の構成を示す斜視図
【図７】ズームデマンドの他の実施の形態の構成を示す斜視図
【符号の説明】
１０…テレビカメラ、１２…レンズ装置、１４…カメラ本体、１６…ペデスタルドリー、１８…雲台、２２…操作ロッド、２４…操作ロッド、２６…フォーカスデマンド、２８…ズームデマンド（テレビカメラ操作装置）、３０…フォーカスノブ、３２…グリップ、３４…サムリング、３４Ａ…凹部、３４Ｂ…突起、３６…ビューファインダ、４０…ズームデマンド本体、４２…支軸、４２Ａ…開口部、４４…回転軸、４６…軸受、４８…軸受、５０…連結アーム、５２…穴、５４…キー、５６…キー溝、５８Ａ…第１中点復帰機構、５８Ｂ…第２中点復帰機構、６０…バネ支軸、６２…捻りコイルバネ、６２Ａ…ループ部、６２Ｂ…脚部、６４…ストッパーピン、６６…駆動ピン、６８…ストッパープレート、７０…スプリング、７２…前スイッチ、７４…後スイッチ、７６…コントローラ、７８…ポテンショメータ、８０…リバーススイッチ、８２…オン／オフスイッチ、９０…ジョイスティック、９２…十字キー
【図１】
2004104294.tif 000003
【図２】
2004104294.tif 000004
【図３】
2004104294.tif 000005
【図４】
2004104294.tif 000006
【図５】
2004104294.tif 000007
【図６】
2004104294.tif 000008
【図７】
2004104294.tif 000009